(57)【要約】【課題】オイル希釈による影響を抑えることのできるハイブリッド車両の制御装置を提供する。【解決手段】この装置はハイブリッド車両に適用されて、低速走行時にはモータの動力のみによって走行するモータ走行を実行し、高速走行時にはエンジンの動力によって走行するエンジン走行を実行する。モータ走行（図（ｃ））の実行中にエンジン走行への切り替え要求（図（ａ））があったときにおいて、オイル希釈が生じているときには（図（ｂ）中の実線）、エンジン回転速度を所定の低速度範囲に制限した状態でエンジンを運転するとともにモータを作動させる暖機走行（時刻ｔ１〜ｔ２）を実行した後に、エンジン走行に切り替える。モータ走行の実行中にエンジン走行への切り替え要求があったときにおいて、オイル希釈（図（ｂ）中の二点鎖線）が生じていないときには（時刻ｔ１）、暖機走行（図（ｃ）中の二点鎖線）を実行することなくエンジン走行に切り替える。【選択図】図６
2019147539.tif 000002
【特許請求の範囲】
【請求項１】
動力源としてエンジンおよびモータを備えたハイブリッド車両に適用されて、低速走行時には前記モータの動力のみによって走行するモータ走行を実行するとともに、高速走行時には前記エンジンの動力によって走行するエンジン走行を実行するハイブリッド車両の制御装置であって、
前記モータ走行の実行中に前記エンジン走行への切り替え要求があったときにおいて、前記エンジンの内部のオイルの粘度が同オイルの温度に応じて定まる判定閾値よりも低いときには、エンジン回転速度を低速度範囲に制限した状態で前記エンジンを運転するとともに前記モータを作動させる暖機走行を実行した後に、前記エンジン走行に切り替えるものであり、
前記モータ走行の実行中に前記エンジン走行への切り替え要求があったときにおいて、前記オイルの粘度が前記判定閾値以上のときには、前記暖機走行を実行することなく、前記エンジン走行に切り替えるものである
ハイブリッド車両の制御装置。
【発明の詳細な説明】
【技術分野】
【０００１】
本発明は、ハイブリッド車両の制御装置に関するものである。
【背景技術】
【０００２】
特許文献１には、車両の動力源としてエンジンおよびモータを備えるハイブリッド車両の一例が記載されている。通常、ハイブリッド車両では、発進を含む低速運転領域で走行するときにはモータの動力のみによって走行するモータ走行が選択（実行）される一方で、比較的高速の運転領域で走行するときにはエンジンの動力を利用して走行するエンジン走行が選択（実行）される。
【０００３】
また特許文献１には、モータ走行の実行中においてエンジンの温度が低いときに、車両変速機用のオイルとエンジン冷却水との熱交換を通じて同エンジンを暖めておくことが提案されている。これにより、低温状態でのエンジン運転の機会を少なくすることが可能になるため、燃費性能の向上やエミッション性能の向上が図られるようになる。
【先行技術文献】
【特許文献】
【０００４】
【特許文献１】特開２０１４−１２５９４１号公報
【発明の概要】
【発明が解決しようとする課題】
【０００５】
ここで、低温状態でエンジンが運転されると、エンジン内部での燃料の燃焼に際して生じた水分が燃焼室壁面で凝縮してエンジンオイルに混入することがある。エンジンオイルに混入した水分は、エンジンの運転に伴ってエンジンオイルが高温になると蒸発するようになる。
【０００６】
ただし、ハイブリッド車両では、燃費性能やエミッション性能の向上を目的としてモータ走行の延べ実行期間が長くなる傾向にあるため、エンジンオイルの温度が適度に高くなる前にエンジンの運転が停止されるといった短期間でのエンジン運転が繰り返されることが多くなっている。この場合、エンジンが運転される度にエンジンオイル中に水分が混入して蓄積するようになるため、同エンジンオイルが水分によって希釈される現象（いわゆるオイル希釈）が生じてしまう。そして、オイル希釈が生じた状態では、エンジンの運転に際してエンジンオイルが泡立ちやすくなるため、同オイルに含まれる気泡の割合（気泡率）が高くなるおそれがある。これはエンジンオイル、ひいてはエンジンの機能低下を招く一因になるために好ましくない。
【０００７】
本発明は、そうした実情に鑑みてなされたものであり、その目的は、オイル希釈による影響を抑えることのできるハイブリッド車両の制御装置を提供することにある。
【課題を解決するための手段】
【０００８】
上記課題を解決するためのハイブリッド車両の制御装置は、動力源としてエンジンおよびモータを備えたハイブリッド車両に適用されて、低速走行時には前記モータの動力のみによって走行するモータ走行を実行するとともに、高速走行時には前記エンジンの動力によって走行するエンジン走行を実行するハイブリッド車両の制御装置であって、前記モータ走行の実行中に前記エンジン走行への切り替え要求があったときにおいて、前記エンジンの内部のオイルの粘度が同オイルの温度に応じて定まる判定閾値よりも低いときには、エンジン回転速度を低速度範囲に制限した状態で前記エンジンを運転するとともに前記モータを作動させる暖機走行を実行した後に、前記エンジン走行に切り替えるものであり、前記モータ走行の実行中に前記エンジン走行への切り替え要求があったときにおいて、前記オイルの粘度が前記判定閾値以上のときには、前記暖機走行を実行することなく、前記エンジン走行に切り替えるものである。
【０００９】
上記構成では、モータ走行からエンジン走行への切り替えに際して、エンジン内部のオイル（いわゆるエンジンオイル）の粘度が低いためにオイル希釈の発生が懸念されるときには、所定期間にわたって、エンジン回転速度を所定の低速度範囲に制限した運転状態、すなわちエンジンオイルの気泡率の上昇を招く可能性の低い運転状態でエンジンが運転される。そして、こうしたエンジンの運転を通じて、エンジン走行に切り替えられる前に、エンジンオイルの温度を上昇させて同エンジンオイルに含まれる水分を蒸発させることができるため、オイル希釈を予め解消させておくことができる。このように上記構成によれば、オイル希釈が生じた場合であれ、エンジンオイルの気泡率の上昇が抑えられる低速度でエンジンを運転することによってオイル希釈を解消した上でエンジン走行に切り替えることができるため、オイル希釈による影響を抑えることができる。しかも上記構成によれば、モータ走行からエンジン走行への切り替えに際して、エンジンオイルの粘度が高いためにオイル希釈の発生の可能性が低いときには、暖機走行を実行せずに、エンジン走行に速やかに切り替えることができる。
【図面の簡単な説明】
【００１０】
【図１】一実施形態のハイブリッド車両の制御装置の概略構成を示すブロック図。
【図２】ハイブリッド車両に搭載されたエンジンの概略構成を示す略図。
【図３】運転制御処理の実行手順を示すフローチャート。
【図４】希釈判定処理における判定態様を説明するための説明図。
【図５】暖機走行処理の実行手順を示すフローチャート。
【図６】（ａ）〜（ｄ）はモータ走行からエンジン走行への切り替え時における車両運転制御の実行態様の一例を示すタイミングチャート。
【発明を実施するための形態】
【００１１】
以下、ハイブリッド車両の制御装置の一実施形態について説明する。
図１に示すように、車両１０にはその動力源としてのエンジン１１と２つのモータとが設けられている。以下では、これらモータのうち、主として発電に使用されるものをジェネレータ１２と記載し、主として動力の発生に使用されるものをモータ１３と記載する。
【００１２】
エンジン１１、ジェネレータ１２およびモータ１３は、プラネタリーギア機構によって構成された動力分割機構１４に接続されている。また、動力分割機構１４は減速機構１５を介して駆動輪１６に接続されている。この動力分割機構１４により、エンジン１１の動力は、ジェネレータ１２を駆動する動力と駆動輪１６を駆動する動力とに分割されるようになっている。
【００１３】
さらに車両１０には、昇圧コンバータとインバータとを有したパワーコントロールユニット１７が設けられている。昇圧コンバータは、ハイブリッド用のバッテリ１８の電圧をジェネレータ１２およびモータ１３の駆動に必要な電圧まで昇圧する。またインバータは、昇圧コンバータによって昇圧された高電圧直流電流をジェネレータ１２やモータ１３に供給する交流電流に変換するとともに、ジェネレータ１２やモータ１３が発電機として機能するときには、それらが発電した交流電流を直流電流に変換する。
【００１４】
図２に示すように、エンジン１１の気筒にはピストン２１が往復動可能に収容されている。ピストン２１にはクランクシャフト２２がコネクティングロッド２３を介して連結されている。エンジン１１の内部にはピストン２１の頂面と気筒の内周面とによって燃焼室２４が区画形成されている。燃焼室２４には、吸気バルブ２５を介して吸気通路２６が接続されるとともに、排気バルブ２７を介して排気通路２８が接続されている。吸気通路２６には、内部に燃料を噴射する燃料噴射弁２９が取り付けられている。また燃焼室２４には吸気と燃料との混合気を点火するための点火プラグ３０が設けられている。
【００１５】
エンジン１１の運転時には、その燃焼室２４に、吸気通路２６を通じて空気が吸入されるとともに燃料噴射弁２９から噴射された燃料が供給される。そして、燃焼室２４内の吸入空気と噴射燃料とからなる混合気に対して点火プラグ３０による火花放電を通じて点火が行われると、その混合気が燃焼してピストン２１が往復移動することによってクランクシャフト２２が回転する。燃焼後の混合気は排気としてエンジン１１の燃焼室２４から排気通路２８に送り出される。
【００１６】
エンジン１１の内部には、吸気バルブ２５を開閉するための吸気カムシャフト３１と、排気バルブ２７を開閉するための排気カムシャフト３２とが設けられている。また吸気カムシャフト３１と吸気バルブ２５との間や、排気カムシャフト３２と排気バルブ２７との間にはそれぞれ、バルブクリアランスを自動調節するラッシュアジャスタ３３が設けられている。
【００１７】
またエンジン１１には、エンジンオイルが貯留されるオイルパン３４や、同エンジンオイルを圧送するオイルポンプ３５が取り付けられている。そして、このオイルポンプ３５が作動することにより、オイルパン３４内のエンジンオイルがクランクシャフト２２、各カムシャフト３１，３２の軸受け部や各ラッシュアジャスタ３３などに供給されるようになっている。
【００１８】
図１に示すように、車両１０にはその運転状態を把握するための各種センサが設けられている。そうしたセンサとしては例えば、クランクシャフト２２（図２参照）の回転速度（エンジン回転速度ＮＥ）を検出するためのクランクセンサ４１や、エンジンオイルの温度（オイル温度ＴＯ）を検出するための温度センサ４２が設けられている。その他、オイルポンプ３５（図２参照）によって圧送されたエンジンオイルの圧力（オイル圧力ＰＯ）を検出するための圧力センサ４３や、車両１０の走行速度（車速ＳＰＤ）を検出するための車速センサ４４、バッテリ１８の電圧（バッテリ電圧Ｖ）を検出するための電圧センサ４５なども設けられている。
【００１９】
また、車両１０にはマイクロコンピュータを備えて構成される電子制御ユニット４０が設けられている。この電子制御ユニット４０は、各種センサの出力信号を取り込むとともにそれら出力信号に基づき車両１０の運転状態を把握する。そして、その把握した運転状態に応じて、燃料噴射弁２９（図２）や点火プラグ３０の作動制御などといったエンジン１１の運転制御や、ジェネレータ１２やモータ１３（詳しくは、パワーコントロールユニット１７）の作動制御を実行する。
【００２０】
本実施の形態では、基本的に、車両１０の運転制御が次のように実行される。
車両１０の走行停止時には、エンジン１１の燃料消費量の低減を図るために同エンジン１１の運転が停止されるとともにモータ１３の作動が停止される。車両１０の発進時を含む低速走行時には、エンジン１１の運転効率が低い（燃料消費量に対する動力発生量が少ない）ため、エンジン１１の運転が停止された状態でモータ１３が作動される。この場合には、モータ１３の動力のみによって車両１０を走行させるモータ走行が選択されて実行される。また、車両１０の加速時や定速走行時において、バッテリ１８の残量が所定量以上であるときには、燃料消費量の低減を図るために、モータ走行が選択されて実行される。一方、車両１０の加速時や定速走行時において、バッテリ１８の残量が所定量未満であるときには、エンジン１１が運転されるとともにモータ１３が作動される。この場合には、エンジン１１の動力を利用して走行するエンジン走行が選択実行される。
【００２１】
ここで、低温状態でエンジン１１が運転された場合には、燃料の燃焼に伴って発生した水分が凝縮して燃焼室２４の壁面に付着することによってエンジンオイルに混入したり、未燃燃料が燃焼室２４の壁面に付着することによってエンジンオイルに混入したりすることがある。
【００２２】
ハイブリッド車両である本実施形態の車両１０では、モータ走行の延べ実行期間が長くなっており、エンジンオイルの温度が適度に高くなる前にエンジン１１の運転が停止されるといった短期間でのエンジン１１の運転が繰り返されることが多くなっている。この場合、エンジン１１が運転される度にエンジンオイル中に水分や未燃燃料が混入して蓄積するようになるため、同エンジンオイルが水分や未燃燃料によって希釈される現象（いわゆるオイル希釈）が生じてしまう。そして、オイル希釈が生じた状態では、エンジン１１の運転に際してエンジンオイルが泡立ちやすくなるため、エンジンオイルに含まれる気泡の割合（気泡率）が高くなるおそれがある。
【００２３】
この点をふまえて本実施形態における車両１０の運転制御では、モータ走行の実行中にエンジン走行への切り替え要求があったときにおいて、オイル希釈が生じていると判定されているときには、エンジン走行への切り替えに先立ち、エンジン１１（詳しくは、エンジンオイル）の温度を上昇させるための暖機走行を実行するようにしている。この暖機走行では、エンジン回転速度ＮＥが所定の低回転速度（例えば１０００回転／分）になるようにエンジン１１の運転制御が実行されるとともに、所望の駆動トルクが得られるようにモータ１３の作動制御が実行される。
【００２４】
以下、暖機走行を実行するための処理を含む車両１０の運転制御にかかる処理（運転制御処理）について詳しく説明する。
図３は運転制御処理の具体的な実行手順を示しており、同図のフローチャートに示される一連の処理は、所定周期毎の割り込み処理として、電子制御ユニット４０により実行される。
【００２５】
図３に示すように、この処理では先ず、モータ走行の実行中であり、且つ、車両１０の運転領域が高速運転領域（例えば、車速ＳＰＤが時速８０ｋｍ以上になる運転領域）であるか否かが判断される（ステップＳ１０）。なお本実施形態では、各種の実験やシミュレーションの結果をもとに、オイル希釈が生じた状態でエンジン走行に切り替えられた場合にエンジンオイルの気泡率の上昇を招くおそれのある高速側の車両運転領域が予め求められており、同車両運転領域が上記高速運転領域として電子制御ユニット４０に記憶されている。
【００２６】
そして、モータ走行の実行中ではない場合、あるいは車両１０の運転領域が高速運転領域ではない場合には（ステップＳ１０：ＮＯ）、以下の処理（ステップＳ１１〜Ｓ１６）を実行することなく、本処理は終了される。
【００２７】
モータ走行の実行中であり、且つ、車両１０の運転領域が高速運転領域である場合には（ステップＳ１０：ＹＥＳ）、バッテリ１８の残量が所定量以上であるか否かが判断される（ステップＳ１１）。なお本実施形態では、運転制御処理とは別に、バッテリ電圧Ｖに基づいてバッテリ１８の残量を推定する処理（残量推定処理）が所定周期毎の割り込み処理として電子制御ユニット４０によって実行されている。ステップＳ１１の処理では、この残量推定処理を通じて推定されているバッテリ１８の残量が参照される。
【００２８】
そして、バッテリ１８の残量が所定量以上である場合には（ステップＳ１１：ＹＥＳ）、バッテリ１８の残量がモータ走行に耐えうる十分に多い量であるとして、モータ走行が継続される（ステップＳ１２）。
【００２９】
一方、バッテリ１８の残量が所定量未満である場合には（ステップＳ１１：ＮＯ）、バッテリ１８の残量が少なくなってしまっているとして、エンジン１１を始動および運転する処理（始動運転処理）が実行される（ステップＳ１３〜Ｓ１６）。なお本実施形態では、ステップＳ１０の処理で肯定判断（ＹＥＳ）されるとともにステップＳ１１の処理で否定判断（ＮＯ）されるときが、「モータ走行の実行中にエンジン走行への切り替え要求があったとき」に相当する。
【００３０】
始動運転処理では先ず、オイル希釈が生じているか否かが判断される（ステップＳ１３）。
なお本実施形態では、運転制御処理や残量推定処理とは別に、オイル希釈の発生の有無を判定する処理（希釈判定処理）が所定周期毎の割り込み処理として電子制御ユニット４０によって実行されている。ステップＳ１３の処理では、この希釈判定処理による判定結果が参照される。
【００３１】
また本実施形態では、各種の実験やシミュレーションの結果をもとに、オイル圧力ＰＯ（エンジンオイルの粘度の指標値）とオイル温度ＴＯとによって定まる領域においてオイル希釈が生じる可能性のある領域とオイル希釈が生じない領域との境界が予め求められており、同境界が判定閾値Ｊとして電子制御ユニット４０に記憶されている。そして上記希釈判定処理では、図４に示すように、オイル温度ＴＯに応じて定まる判定閾値Ｊよりもオイル圧力ＰＯが低いときには、エンジンオイルの粘度（オイル圧力ＰＯ）がオイル希釈が生じている可能性のある程度に低くなっているとして、オイル希釈が生じていると判定される。一方、オイル圧力ＰＯが判定閾値Ｊ以上であるときには、オイル希釈が生じていないと判断できる程度にエンジンオイルの粘度（オイル圧力ＰＯ）が高いとして、オイル希釈が生じていないと判定される。
【００３２】
そして、オイル希釈が生じていると判定されるときには（図３のステップＳ１３：ＹＥＳ）、オイル希釈を解消するための暖機走行の実行が開始されるとともに（ステップＳ１４）、実行フラグがオン操作される（ステップＳ１５）。これにより、モータ走行からエンジン走行に切り替えられる前に、一時的に実行フラグがオン操作されて暖機走行が実行されるようになる。
【００３３】
この暖機走行では、エンジン１１のクランクシャフト２２の回転速度（エンジン回転速度ＮＥ）が所定の低回転速度になるようにエンジン１１の作動制御が実行されるとともに、車軸を駆動する駆動トルクが車両１０の運転状態（アクセル開度など）に応じた値になるようにモータ１３の作動制御が実行される。
【００３４】
一方、オイル希釈が生じていないと判定される場合には（ステップＳ１３：ＮＯ）、エンジン走行に切り替えられる（ステップＳ１６）。この場合には、暖機走行を実行することなく、車軸を駆動する駆動トルクが車両１０の運転状態に応じた値になるように、エンジン１１の作動制御とモータ１３の作動制御とがそれぞれ実行される。
【００３５】
以下、暖機走行にかかる処理（暖機走行処理）について詳しく説明する。
図５は暖機走行処理の具体的な実行手順を示しており、同図のフローチャートに示される一連の処理は、所定周期毎の割り込み処理として、電子制御ユニット４０により実行される。
【００３６】
図５に示すように、この処理では先ず、実行フラグがオン操作されているか否かが判断される（ステップＳ２０）。そして、実行フラグがオフ操作されている場合には（ステップＳ２０：ＮＯ）、以下の処理（ステップＳ２１〜Ｓ２４）を実行することなく、本処理は終了される。
【００３７】
実行フラグがオン操作されている場合には（ステップＳ２０：ＹＥＳ）、オイル温度ＴＯが所定温度（例えば、摂氏１００度）以上であるか否かが判断される（ステップＳ２１）。なお本実施形態では、エンジンオイルに混入した水分や未燃燃料が適度に蒸発するようになる同エンジンオイルの温度が予め求められており、同温度が上記所定温度として電子制御ユニット４０に記憶されている。
【００３８】
そして、オイル温度ＴＯが所定温度未満である場合には（ステップＳ２１：ＮＯ）、エンジンオイルの温度が低いために同エンジンオイルに混入した水分や未燃燃料が蒸発せずに残留しているおそれがあるとして、エンジン１１の温度を上昇させるための暖機走行が実行される（ステップＳ２２）。
【００３９】
一方、オイル温度ＴＯが所定温度以上である場合には（ステップＳ２１：ＹＥＳ）、暖機走行が終了されるとともにエンジン走行に切り替えられる（ステップＳ２３）。この場合には、エンジンオイルの温度が適度に高くなって同エンジンオイルに混入した水分や未燃燃料が蒸発してオイル希釈が解消されたとして、暖機走行が終了されてエンジン走行に切り替えられる。そして、このようにしてエンジン走行に切り替えられた後に、実行フラグがオフ操作されて（ステップＳ２４）、本処理は終了される。
【００４０】
以下、暖機走行を実行することによる作用効果について図６を参照しつつ説明する。
図６は、モータ走行からエンジン走行への切り替え時における車両運転制御の実行態様の一例を示している。
【００４１】
図６に実線で示すように、時刻ｔ１において、モータ走行の実行中にエンジン走行への切り替えが要求されると（図６（ａ））、このときオイル希釈（図６（ｂ））が生じていると判定されているために、暖機走行（図６（ｃ））の実行が開始される。
【００４２】
暖機走行（時刻ｔ１〜ｔ２）では、エンジン１１が始動されるとともにエンジン回転速度ＮＥが低く抑えられた状態、すなわちエンジンオイルの気泡率の上昇を招く可能性の低い運転状態で運転される。こうした暖機走行におけるエンジン１１の運転を通じてオイル温度ＴＯ（図６（ｄ））が上昇するようになる。
【００４３】
そして、時刻ｔ２においてオイル温度ＴＯが所定温度以上になると、エンジンオイルに混入している水分や未燃燃料が適度に蒸発してオイル希釈が解消された状態になる。この状態で、暖機走行が停止されて、エンジン走行が開始されるようになる。
【００４４】
このように本実施形態によれば、モータ走行からエンジン走行に切り替える際に、オイル希釈の発生が懸念されるときには、所定期間（時刻ｔ１〜ｔ２）にわたって、エンジンオイルの気泡率の上昇を招く可能性の低い運転状態でエンジン１１を運転することができる。そして、こうしたエンジン１１の運転を通じて、エンジン走行に切り替えられる前に、エンジンオイルの温度を上昇させて同エンジンオイルに含まれる水分や未燃燃料を蒸発させることができるため、オイル希釈を予め解消させておくことができる。
【００４５】
したがって上記構成によれば、オイル希釈が生じた場合であれ、エンジンオイルの気泡率の上昇が抑えられる低速度でエンジン１１を運転することによってオイル希釈を解消した上でエンジン走行に切り替えることができるため、オイル希釈による影響を抑えることができる。これにより、エンジンオイルの気泡率が高くなることを抑えることができるために、エンジン１１の機能（各ラッシュアジャスタ３３の機能や各シャフト２２，３１，３２の軸受け部の潤滑機能など）の低下を抑えることができる。
【００４６】
また、モータ走行の実行中においてエンジン走行への切り替えが要求されたときに（時刻ｔ１）、オイル希釈（図６（ｂ）中に二点鎖線で示す）が生じていないと判定されている場合には、暖機走行（図６（ｃ）中に二点鎖線で示す）を実行せずに、モータ走行からエンジン走行に速やかに切り替えられる。
【００４７】
以上説明したように、本実施形態によれば、以下に記載する効果が得られる。
（１）モータ走行の実行中にエンジン走行への切り替え要求があったときにおいて、オイル希釈が生じていると判定されているときには、エンジン回転速度ＮＥを所定の低回転速度に制限した状態でエンジン１１を運転するとともにモータ１３を作動させる暖機走行を実行した後に、エンジン走行に切り替えるようにした。そのため、オイル希釈による影響を抑えることができる。
【００４８】
（２）モータ走行からエンジン走行への切り替えに際して、エンジンオイルの粘度が高いためにオイル希釈の発生の可能性が低いときには、暖機走行を実行せずに、エンジン走行に速やかに切り替えることができる。
【００４９】
なお、上記実施形態は、以下のように変更して実施してもよい。
・前記希釈判定処理を、オイル温度ＴＯが所定温度未満であることを条件に実行するようにしてもよい。この場合には、オイル温度ＴＯが所定温度以上であるときにはオイル希釈が生じていないと判定するようにすればよい。前記希釈判定処理を、モータ走行からエンジン走行への切り替え要求があったことを条件に実行するようにしてもよい。
【００５０】
・暖機走行の実行中においてモータ走行への切り替え要求があったときに、暖機走行を停止してモータ走行を開始するようにしてもよい。
・オイル希釈の有無を判定する手法は、オイル希釈が生じていることを適正に判定することができるのであれば、任意に変更することができる。こうした判定手法としては、例えば次の（判定手法Ａ）や（判定手法Ｂ）を採用することができる。（判定手法Ａ）判定閾値として一定の値を予め定めておくとともに、オイル圧力ＰＯが判定閾値未満である場合にはオイル希釈が生じていると判定し、オイル圧力ＰＯが判定閾値以上である場合にはオイル希釈が生じていないと判定する。（判定手法Ｂ）クランクシャフト２２によって回転駆動されるタイプのオイルポンプが採用される車両において、エンジン回転速度ＮＥに応じて定まる判定閾値よりもオイル圧力ＰＯが低い場合にはオイル希釈が生じていると判定し、オイル圧力ＰＯが同判定閾値以上である場合にはオイル希釈が生じていないと判定する。
【００５１】
・オイル希釈の発生の有無を、エンジンオイルの粘度の指標値であるオイル圧力ＰＯと判定閾値Ｊとの関係をもとに判定することに代えて、粘度センサによって検出したエンジンオイルの粘度（オイル粘度ＶＯ）と判定閾値との関係をもとに判定することができる。
【００５２】
・モータ走行からエンジン走行への切り替えに先立ち暖機走行を実行する構成は、バッテリ１８の残量が所定量未満（図３のステップＳ１１：ＮＯ）であるためにモータ走行からエンジン走行に切り替えられるタイミングに適用することに限らず、車両１０の運転領域が高速運転領域である状況でモータ走行からエンジン走行に切り替えられるタイミングであれば適用可能である。
【００５３】
・暖機走行におけるエンジン１１の作動制御を、エンジン回転速度ＮＥが所定の低回転速度になるようにエンジン１１を運転するといったように実行することに限らず、エンジン回転速度ＮＥについての上限値を設定するとともにエンジン回転速度ＮＥが上限値以上にならないようにエンジン１１を運転するといったように実行してもよい。要は、暖機走行において、エンジン回転速度ＮＥを所定の低速度範囲（詳しくは、エンジンオイルの気泡率の上昇を招く可能性の低い速度範囲）に制限した状態でエンジン１１を運転することができればよい。
【符号の説明】
【００５４】
１０…車両、１１…エンジン、１２…ジェネレータ、１３…モータ、１４…動力分割機構、１５…減速機構、１６…駆動輪、１７…パワーコントロールユニット、１８…バッテリ、２１…ピストン、２２…クランクシャフト、２３…コネクティングロッド、２４…燃焼室、２５…吸気バルブ、２６…吸気通路、２７…排気バルブ、２８…排気通路、２９…燃料噴射弁、３０…点火プラグ、３１…吸気カムシャフト、３２…排気カムシャフト、３３…ラッシュアジャスタ、３４…オイルパン、３５…オイルポンプ、４０…電子制御ユニット、４１…クランクセンサ、４２…温度センサ、４３…圧力センサ、４４…車速センサ、４５…電圧センサ。
【図１】
2019147539.tif 000003
【図２】
2019147539.tif 000004
【図３】
2019147539.tif 000005
【図４】
2019147539.tif 000006
【図５】
2019147539.tif 000007
【図６】
2019147539.tif 000008